【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
格納装置に流体を供給するための装置であって、
前記流体を供給するための少なくとも１つの供給ライン（３）と、
前記少なくとも１つの供給ライン（３）に前記流体を注入するための少なくとも１つの入口端部（３ａ）とを備え、前記少なくとも１つの入口端部（３ａ）は、流体源と流体連通するように構成されており、
前記格納装置（２）に前記流体を分配するための少なくとも１つの分配端部（３ｂ）と、
前記少なくとも１つの供給ライン（３）の途中に設けられ、閉弁位置と少なくとも１つの開弁位置との間に可動な少なくとも１つの開閉弁部材（４）とを備え、前記少なくとも１つの開閉弁部材（４）は、前記閉弁位置をとるときに、前記少なくとも１つの入口端部（３ａ）と前記少なくとも１つの分配端部（３ｂ）との間の流体供給を遮断し、前記開弁位置をとるときに、前記少なくとも１つの入口端部（３ａ）と前記少なくとも１つの分配端部（３ｂ）との間の流体供給を可能にし、
前記供給装置は、さらに、
前記少なくとも１つの供給ライン（３）の途中に設けられ、吸込圧力で前記流体を受入れ、吐出圧力で前記流体を供給するように構成された少なくとも１つの圧力調整部材（５）を備え、前記圧力調整部材（５）の吐出圧力は、可変であり、
前記圧力調整部材（５）の前記吐出圧力を設定または固定する状態と静止状態との間に可動な保持手段またはロック／アンロック手段（６）を備える、供給装置。
【請求項２】
前記ロック／アンロック手段は、前記静止状態をとるときに、前記吐出圧力を固定または設定しない、請求項１に記載の供給装置。
【請求項３】
前記圧力調整部材（５）は、可変貫流部を有し、
前記保持手段またはロック／アンロック手段（６）は、前記貫流部を設定または固定する状態と、前記貫流部を少なくとも部分的にアンロックし、前記貫流部を固定しない状態との間に可動である、請求項１または２に記載の供給装置。
【請求項４】
前記ロック／アンロック手段（６）は、前記供給ライン（３）または前記供給ライン（３）の分岐ライン（７）の途中に設けられた少なくとも１つの制御弁（６ａ）と、前記制御弁（６ａ）と前記圧力調整部材（５）との間に延在する少なくとも１つの連結管路（６ｂ）とを含み、
前記制御弁（６ａ）は、前記流体が前記供給ライン（３）または前記分岐ライン（７）から前記連結管路（６ｂ）に流れ込むことを可能にする第１位置と、前記連結管路（６ｂ）を遮断する第２位置との間に可動である、請求項１から３のいずれか１項に記載の供給装置。
【請求項５】
前記圧力調整部材（５）は、少なくとも１つのチャンバを含み、
前記少なくとも１つのチャンバには、前記圧力調整部材（５）の吐出圧力を変更するように、少なくとも１つの膜、ニードル弁または可動壁が摺動可能に取付けられており、
前記少なくとも１つの連結管路（６ｂ）は、前記チャンバと流体連通しており、前記チャンバ内に前記流体を供給し、前記膜、前記ニードル弁または前記可動壁を付勢することによって、前記圧力調整部材（５）の前記吐出圧力を決定するように構成されている、請求項４に記載の供給装置。
【請求項６】
前記分岐ライン（７）は、前記圧力調整部材（５）の上流側に位置する前記供給ライン（３）の一部（３ｃ）と前記圧力調整部材（５）の下流側に位置する前記供給ライン（３）の一部（３ｄ）との間に、または前記圧力調整部材（５）の上流側に位置する前記供給ライン（３）の一部（３ｃ）と前記圧力調整部材（５）との間に延在する、請求項４または５に記載の供給装置。
【請求項７】
前記ロック／アンロック手段（６）は、自動または手動で前記制御弁（６ａ）を前記第１位置と前記第２位置との間に駆動するまたは切換えるためのボタン（６ｃ）を含む、請求項４から６のいずれか１項に記載の供給装置。
【請求項８】
前記供給装置は、アクチュエータに加圧された気体状流体を供給するための手段を含む、請求項１から７のいずれか１項に記載の供給装置。
【請求項９】
前記保持手段またはロック／アンロック手段（６）は、格納装置に流体を供給する第１供給サイクル中、前記吐出圧力を所望の吐出圧力にロックまたは固定し、前記第１供給サイクルの後、前記格納装置または別の格納装置に流体を供給するサイクルに、前記所望の吐出圧力を維持することに適するように構成されている、請求項１から８のいずれか１項に記載の供給装置。
【請求項１０】
前記保持手段またはロック／アンロック手段（６）は、開閉式のものであり、または２つ状態または位置、すなわち、前記圧力調整部材の前記吐出圧力を設定または固定する状態および前記静止状態のみをとるものである、請求項１から９のいずれか１項に記載の供給装置。
【請求項１１】
前記供給装置は、吐出弁（１０）と、前記供給ライン（３）の一端部と前記吐出弁（１０）との間に延在する流体排出ライン（１１）とを含む、請求項１から１０のいずれか１項に記載の供給装置。
【請求項１２】
前記保持手段またはロック／アンロック手段（６）は、格納装置に流体を充填または供給するサイクルおよび前記格納装置から流体を排出するステップの両方において、前記吐出圧力を所望の吐出圧力にロックまたは固定することに適するように構成されている、請求項９および１１に記載の供給装置。
【請求項１３】
対象物を駆動または移動するための組立体であって、
少なくとも１つのアクチュエータ（２）を備え、前記アクチュエータ（２）は、少なくとも１つのシリンダ（２ａ）と、前記少なくとも１つのシリンダ（２ａ）から供給または排出された流体に応じて移動可能な少なくとも１つの心棒（２ｂ）とを含み、
前記組立体は、請求項１から１２のいずれか１項に記載の供給装置（１）をさらに備え、
前記供給装置の分配端部（３ｂ）は、前記シリンダ（２ａ）と流体連通しており、前記シリンダ（２ａ）に流体を供給するよう構成されている、組立体。
【請求項１４】
タイヤ用の昇降装置であって、
少なくとも１つの下降位置と少なくとも１つの上昇位置との間に移動可能な少なくとも１つの支持フレーム（１５）と、前記支持フレーム（１５）に取付けられ、前記支持フレーム（１５）を介して前記下降位置と前記上昇位置との間に移動可能な昇降台（１６）と、前記昇降台（１６）を昇降するように構成された請求項１３に記載の少なくとも１つの組立体とを備える、昇降装置。
【請求項１５】
前記昇降装置は、関節またはヒンジを介して、一端が前記少なくとも１つの心棒（２ｂ）に連接され、他端が前記支持フレーム（１５）に連接された少なくとも１つの連接ロッド部材（１７）を備え、したがって、前記少なくとも１つのシリンダ（２ａ）に流体を供給するまたは前記少なくとも１つのシリンダ（２ａ）から流体を吸引することによって、前記少なくとも１つの心棒および前記少なくとも１つの連接ロッド部材（１７）が変位し、それに応じて、前記支持フレーム（１５）が変位し、その結果、前記昇降台（１６）が変位する、請求項１４に記載の昇降装置。
【請求項１６】
前記支持フレーム（１５）は、少なくとも１つの台座（１５ａ）と、各々の中間部分で相互にヒンジを介して連接されまたは動作可能に連接された一対のアーム（１５ｂ、１５ｃ）とを含み、
一方のアーム（１５ｂ）は、前記少なくとも１つのロッド部材（１７）にヒンジを介して連接された第１端部（１５ｄ）と、前記昇降台（１６）を支持する第２端部（１５ｅ）とを有し、
他方のアーム（１５ｃ）は、前記台座（１５ａ）に摺動可能に取付けられた第１端部（１５ｆ）と、前記昇降台（１６）を支持する第２端部（１５ｇ）とを有する、請求項１４または１５に記載の昇降装置。
【請求項１７】
格納装置に流体を供給するための方法であって、
流体を供給するための装置（１）を一方側で流体源に連接し、他方側で格納装置（２）に連接するステップと、
前記流体源から前記流体を前記供給装置（１）に供給し、したがって前記格納装置（２）に供給することを可能にするように、前記供給装置（１）の開閉弁（４）を作動させるステップと、
前記供給装置（１）から排出され、前記格納装置（２）に流入するまたは供給される流体の圧力を増加させるように、前記開閉弁（４）を開放に維持するステップと、
前記供給装置（１）からの流体の圧力が前記格納装置（２）に十分な供給または充填若しくは所定の供給または充填を与えるのに十分であるとき、前記供給装置（１）からの流体の圧力を固定または設定するように、保持手段またはロック／アンロック手段（６）を駆動するステップと、
前記開閉弁（４）を閉弁するステップと、
前記格納装置（２）から流体を排出するステップと、
前記供給装置が固定または設定した吐出圧力を有するとともに、前記開閉弁（４）を開放し、前記格納装置または前記供給装置に連接された別の格納装置の新たな供給または充填サイクルを実行するステップとを備える、供給方法。
【請求項１８】
前記格納装置は、少なくとも１つのアクチュエータ（２）を備え、
前記少なくとも１つのアクチュエータ（２）は、少なくとも１つのシリンダ（２ａ）と、前記少なくとも１つのシリンダ（２ａ）における流体の供給または排出に応じて可動な少なくとも１つの心棒（２ｂ）とを含む、請求項１７に記載の供給方法。
【請求項１９】
請求項１から１２のいずれか１項に記載の供給装置を用いる、請求項１７または１８に記載の供給方法。
【請求項２０】
車輪またはタイヤを昇降するための方法であって、
タイヤまたはタイヤ付き車輪用の昇降装置（１４）を予め配置するステップを備え、前記昇降装置（１４）は、少なくとも１つの下降位置と少なくとも１つの上昇位置との間に移動可能な少なくとも１つの支持フレーム（１５）と、前記支持フレーム（１５）に取付けられ、前記支持フレーム（１５）を介して前記下降位置と前記上昇位置との間に移動可能な昇降台（１６）と、流体を供給するための装置（１）に連接された少なくとも１つのアクチュエータ（２）とを含み、前記アクチュエータ（２）は、前記昇降台（１６）を昇降するように構成され、
前記昇降台（１６）の上面に、第１車輪または第１タイヤを配置するステップと、
前記流体を供給するための装置（１）を一方側で流体源に連接し、他方側で前記アクチュエータ（２）のシリンダ（２ａ）に連接するステップと、
前記流体源からの前記流体を前記供給装置（１）に供給し、したがって前記アクチュエータ（２）の前記シリンダ（２ａ）に供給することを可能にするように、前記供給装置（１）の開閉弁（４）を作動させるステップと、
前記供給装置（１）から排出され、前記格納装置（２）に流入するまたは供給される流体の圧力を増加させるように、前記開閉弁（４）を開放に維持するステップと、
前記供給装置（１）からの流体の圧力が前記昇降台（１６）に十分な上昇または所定の上昇を与えるのに十分であるとき、前記供給装置（１）からの流体の圧力を固定または設定するように、保持手段またはロック／アンロック手段（６）を駆動するステップと、
前記開閉弁（４）を閉弁するステップと、
前記アクチュエータ（２）の前記シリンダ（２ａ）から流体を排出するステップと、
前記昇降台（１６）を前記下降位置に復帰させるステップと、
前記昇降台（１６）から上昇された前記第１車輪または第１タイヤを除去するステップと、
前記第１車輪または第１タイヤと実質的に同一のサイズまたは重量を有する第２車輪またはタイヤを前記昇降台（１６）に配置するステップと、
前記供給装置が上記の固定または設定した吐出圧力を有するとともに、前記開閉弁（４）を開放し、前記供給装置に連接された前記アクチュエータの新たな充填サイクルを実行し、したがって前記第２車輪またはタイヤの上昇サイクルを実行するステップとを備える、昇降方法。
【請求項２１】
前記昇降方法は、請求項１４から１６のいずれか１項に記載の昇降装置を介して実行される、請求項２０に記載の車輪またはタイヤを昇降するための方法。
【手続補正２】
【補正対象書類名】明細書
【補正対象項目名】００６２
【補正方法】変更
【補正の内容】
【００６２】
駆動または移動組立体は、好ましくは、上述の組立体１３である。
昇降装置１４は、関節、好ましくはヒンジを介して、一端が心棒２ｂに、たとえばシリンダの外側に位置する心棒の端部に連接され、他端がフレーム／支持フレーム１５に連接された少なくとも１つの連接ロッド部材１７を備え、したがって、シリンダ２ａに流体を供給することによって、心棒２ｂおよび連接ロッド部材１７が移動し、それに応じてフレーム／支持フレーム１５が移動し、その結果、昇降台１６が移動する。